(57)【特許請求の範囲】
【請求項１】
複数のパネルが連結されたサークル本体の内部で、収容したペットのトイレの仕付けを行うペット用サークルにおいて、
前記サークル本体の内部空間が中仕切体によって仕切られることにより住居スペースとトイレスペースに区画されており、
前記中仕切体には、ペットが出入り可能な仕切出入口が開口されるとともに、この仕切出入口を開閉する仕切扉が設けられ、この仕切扉を介して住居スペースとトイレスペースとの間をペットが行き来できるように或いは行き来が規制されるように構成されていることを特徴とするペットのトイレ仕付け用サークル。
【請求項２】
請求項１に記載のペットのトイレ仕付け用サークルにおいて、
前記仕切出入口の開放時および閉鎖時にそれぞれ仕切扉を係止する仕切出入口ロック手段が設けられたことを特徴とするペットのトイレ仕付け用サークル。
【発明の詳細な説明】
【技術分野】
【０００１】
本発明は、内部に犬や猫などのペットを入れてトイレの仕付けを行うペットのトイレ仕付け用サークルに関する。
【背景技術】
【０００２】
ペット用サークルは、複数のパネルを連結し、これらのパネルで囲まれた内部にペットを収容するものであって、サークルの内部空間は、仕切られることなく１つ空間として構成されているものが一般的である（例えば、特許文献１参照。）。
【０００３】
ところで、ペット、特に犬の飼い主は、サークルの中にペット用トイレを置いて使用していることが多い。そして、ペットにトイレの仕付けを行う際、飼い主がペットの排泄時が近づいたと察知すれば、まずペットをトイレに誘導し、ペットがトイレで排泄を終えると、トイレで排泄ができたことを誉めて学習させるという手順を踏むのが通常である。
【特許文献１】特開２００１−２４５５４５号公報
【発明の開示】
【発明が解決しようとする課題】
【０００４】
しかしながら、上記した一般的なペット用サークルにおいてその内部にペット用トイレを置くと、ペットの住居空間が狭くなって使い勝手が悪い。その上、ペット用トイレの他に食器やベッドを置くと、衛生上好ましくない。このように、ペットがサークル内で快適に過ごすことができないという問題があった。
【０００５】
また、ペット用トイレと住居空間との境界がないので、飼い主がペットをトイレに誘導し難く、たとえトイレへの誘導に成功した場合であっても、ペットがトイレの上で静止し難い。このため、ペットに対するトイレの仕付けが困難であった。
【０００６】
本発明は、このような事情に鑑み創案されたもので、サークル内部が住居スペースとトイレスペースとに区画され、トイレの仕付けが容易で、使い勝手がよく、ペットが快適に過ごすことができるペットのトイレ仕付け用サークルを提供するものである。
【課題を解決するための手段】
【０００７】
上記の目的を達成するため本発明は、複数のパネルが連結されたサークル本体の内部で、収容したペットのトイレの仕付けを行うペット用サークルにおいて、前記サークル本体の内部空間が中仕切体によって仕切られることにより住居スペースとトイレスペースに区画されており、前記中仕切体には、ペットが出入り可能な仕切出入口が開口されるとともに、この仕切出入口を開閉する仕切扉が設けられ、この仕切扉を介して住居スペースとトイレスペースとの間をペットが行き来できるように或いは行き来が規制されるように構成されていることを特徴とする。
【０００８】
この発明によれば、サークル本体の内部空間が住居スペースとトイレスペースに区画されているので、トイレスペースをペット用トイレを置くためだけの空間として使用することができる。したがって、サークル本体内にペット用トイレを置いた場合であっても、ペットは、住居スペースでゆとりを持って快適に過ごすことができる。また、住居スペースには、食器やベッドを置くことができるので、使い勝手がよい。
【０００９】
また、住居スペースとトイレスペースとの間が中仕切体によって仕切られ、この中仕切体には仕切出入口が開口されているので、トイレの仕付けを行う際に、飼い主がペットをトイレに誘導しやすいので、便利である。
【００１０】
さらに、この仕切出入口を開閉する仕切扉が設けられ、この仕切扉を介して住居スペースとトイレスペースとの間をペットが行き来できるように或いは行き来が規制されるように構成されているので、仕切扉の開閉に応じてペットをトイレスペースに誘導したり住居スペースに誘導することができる。
【００１１】
本発明は、上記構成のペットのトイレ仕付け用サークルにおいて、前記仕切出入口の開放時および閉鎖時にそれぞれ仕切扉を係止する仕切出入口ロック手段が設けられたことを特徴とする。
【００１２】
この発明によれば、仕切出入口の開放時および閉鎖時に仕切扉を係止する仕切出入口ロック手段が設けられているので、仕切出入口を開放状態および閉鎖状態で保持することができる。したがって、閉鎖した仕切出入口の仕切扉をペットが開けるのを防止できるとともに、仕切出入口を開放した状態でペットが住居スペースとトイレスペースとの間を安全で自由に行き来することができる。そして、トイレの仕付けを終えたペットに対しては、仕切出入口を常に開放状態に保持し、住居スペースとトイレスペースとの間を安全で自由に行き来できるようにすることもできる。
【発明の効果】
【００１３】
本発明によれば、トイレの仕付けが容易で、使い勝手がよく、ペットが快適に過ごすことができるペットのトイレ仕付け用サークルを提供することが可能になる。
【発明を実施するための最良の形態】
【００１４】
以下、本発明の実施の形態について、図を参照して説明する。
【００１５】
図１には、本実施形態のペットのトイレ仕付け用サークル１の全体が示されている。
【００１６】
このペットのトイレ仕付け用サークル１は、複数のパネル２ａ，２ｂ，２ｃ，２ｄが連結されたサークル本体２と、サークル本体２の下部に取り付けられたトレー６とを備え、サークル本体２の内部空間は、中仕切体４によって仕切られ、住居スペース１ａとトイレスペース１ｂに区画されている。
【００１７】
サークル本体２は、正面・背面・左右の側面の４枚のパネル２ａ，２ｂ，２ｃ，２ｄが周囲壁を形成するように連結されており、各パネル２ａ，２ｂ，２ｃ，２ｄの隣り合うパネル同士は、固定棒２０により固定されている。
【００１８】
各パネル２ａ，２ｂ，２ｃ，２ｄは、木製の上フレーム２１と下フレーム２２と、これら上フレーム２１と下フレーム２２との間に取り付けられる金属製の網状体とから構成されている。
【００１９】
なお、各パネル２ａ，２ｂ，２ｃ，２ｄは、上フレーム２１と下フレーム２２との間をすべて網状体で構成するものに限定されるものではなく、例えば、上フレーム２１と下フレーム２２との間の一部に板状体を挿入することにより、サークル本体２の内部空間への外部からの刺激を軽減して、ペットが落ち着くことのできる空間となるようにしてもよい。また、下フレーム２２の床面と接地する面に、床の傷付きを防止する滑り止め部材を設けてもよい。
【００２０】
正面パネル２ａの上フレーム２１と背面パネル２ｂの上フレーム２１において、住居スペース１ａとトイレスペース１ｂの境界に対応する位置には、中仕切体４を嵌め込む仕切体嵌め込み部２１ａが切り欠かれている（図３参照）。
【００２１】
正面パネル２ａの住居スペース１ａに対応する側には、ペットが出入り可能なペット出入口２ｅが開口されており、このペット出入口２ｅを開閉するペット用扉３が開閉自在に取付けられている。
【００２２】
ペット出入口２ｅは、正面パネル２ａの下端部から上端部にわたって広く開口されており、ペットが出入りし易いように図られている。
【００２３】
中仕切体４は、仕切フレーム４１と網状体とが組み合わされたパネルで構成されており、仕切出入口４ａが開口されている（図２、図３、図４参照）。
【００２４】
仕切フレーム４１は、両端に嵌入部４２が形成された断面矩形状の角材であって、嵌入部４２をサークル本体２の仕切体嵌め込み部２１ａに嵌め込むことにより、中仕切体４をサークル本体２に取り付けるようになされている。
【００２５】
仕切出入口４ａは、中仕切体４の下端部から上端部にわたって広く開口されており、ペットが出入りし易いように図られており、この仕切出入口４ａを開閉する仕切扉４３が開閉自在に取り付けられている。
【００２６】
仕切扉４３は、中仕切体４の網状体の上部の横線材４４に吊下げ部材４５を介して摺動自在に取り付けられている。
【００２７】
また、仕切扉４３の上部の左右の端部には、突出枠４６がそれぞれ形成されているとともに、この突出枠４６に対応する正面パネル２ａと背面パネル２ｂには、突出枠４６の上端に当接して仕切扉４３のずり上がりを阻止する係止棒２４が設けられている（図２参照）。したがって、仕切扉４３のずり上がりを仕切出入口４ａの開放状態・閉鎖状態の双方において防止できるようになされている。
【００２８】
さらに、仕切扉４３の突出枠４６よりも若干下側に位置する左右の端部には、把手４７がそれぞれ形成されており、使用者（飼い主）がこの把手４７に手を掛けて仕切扉４３を動かすことができるように図られている。
【００２９】
さらにまた、中仕切体４の仕切出入口４ａ側の端縁４０には、掛け止め部材４８が回動自在に取り付けられている。この掛け止め部材４８は金属製の線材を屈曲して形成され、縦線材を挟み込んで係止するとともに、回動させることで係止を解除することができるようになされている。したがって、仕切扉４３を閉じたときには、仕切扉４３の一方の側端部４３ａを掛け止め部材４８で係止することで、仕切出入口４ａの閉鎖状態を保持することができる。一方、仕切扉４３を開けたときには、仕切扉４３の他方の側端部４３ｂを掛け止め部材４８で係止することで、仕切出入口４ａの開放状態を保持することができる。
【００３０】
なお、中仕切体４は、嵌入部４２をサークル本体２の仕切体嵌め込み部２１ａから外すことにより、容易に取り外すことができる。このように、中仕切体４を取り外すことで、例えばトイレの仕付けが完了したペットに対しては、住居スペース１ａとトイレスペース１ｂとの間を常に自由に行き来できるようにすることも可能になる。
【００３１】
正面パネル２ａのトイレスペース１ｂに対応する側の下部には、ペット用トイレを出し入れ可能なトイレ出し入れ口５ａが開口されており、このトイレ出し入れ口５ａを開閉するトイレ用扉５が開閉自在に取付けられている。
【００３２】
トイレ出し入れ口５ａは、ペット用トイレの幅よりも若干広幅の横長形状に形成されており、ペット用トイレＡを出し入れし易いように図られている（図２参照）。
トイレ用扉５は、トイレ出し入れ口５ａに対応する形状に形成された網状のパネル体である。
【００３３】
トレー６は、外周にわたって周壁部６１が立ち上げられており、排泄物や飲食物がサークル本体２内にこぼれた場合であっても、これらの汚物などがサークル本体２の木製の下フレームに直接かかって木材が腐敗することがないように図られている（図５参照）。また、トレー６は、住居スペース１ａに対応する住居側トレー部６ａとトイレスペース１ｂに対応するトイレ側トレー部６ｂに区画されており、住居側トレー部６ａとトイレ側トレー部６ｂの境界にわたって漏れ止め用突部６２が形成されている。
【００３４】
また、中仕切体４に対応する位置には、突起６３が３個所形成されており、中仕切体４の下端部を突起６３と漏れ止め用突部６２との間（嵌入部）に嵌め込んで、中仕切体４のガタツキを防止できるようになされている。
【００３５】
さらに、トイレ側トレー部６ｂには、ペット用トイレを所定位置で静止させるトイレ静止用突部６４が形成されている。このトイレ静止用突部６４は、ペット用トイレＡの外枠が嵌め込まれるように形成されており、ペットの動きに伴ってペット用トイレＡが動くことがなくなり、好適に排便等をさせることを可能にしている。
【００３６】
次に、上記構成のペット用サークル１を組み立てる手順について説明する。
【００３７】
まず、正面、背面、左右の側面の４枚のパネル２ａ，２ｂ，２ｃ，２ｄを固定棒２０を介して連結し、サークル本体２を組み立てる。
【００３８】
次いで、トレー６をサークル本体２内に設置する。
【００３９】
続いて、サークル本体２の上方から中仕切体４を挿入していき、中仕切体４の下端部をトレー６の嵌入部に嵌め込むとともに、正面パネル２ａの上フレーム２１と背面パネル２ｂの上フレーム２１の仕切体嵌め込み部２１ａに中仕切体４を嵌め入れる。中仕切体４を嵌め入れる際、突出枠４６を係止棒２４の下部に挿入する。
【００４０】
次に、上記構成のペット用サークル１の使用方法の一例について説明する。
【００４１】
まず、ペット用トイレをサークル本体２のトイレスペース１ｂに設置する。この際、ペット用トイレの外枠をトレー６のトイレ静止用突起６４に嵌め込んで、ペット用トイレＡが不測に動かないようにする。
【００４２】
次いで、ペット出入口２ｅを開けて、ペットをサークル本体２内に入れる。
【００４３】
使用者がペットの排泄が近づいてきたと察知した場合、仕切扉４３を開けて、ペットをトイレスペース１ｂのペット用トイレＡに誘導する。その後、仕切扉４３を閉鎖し、ロックする。
【００４４】
ペットがペット用トイレＡで排泄し終えると、トイレで排泄したことを誉め、仕切扉４３を開けて、住居スペース１ａにペットを入れる。
【００４５】
ペット用トイレＡのシーツを交換する際には、トイレ出し入れ口５ａを開けて、ペット用トイレを取り出し、使用者は楽な姿勢でシーツを交換することがでる。
【産業上の利用可能性】
【００４６】
本発明は、サークル本体の内部空間が中仕切体によって仕切られて住居スペースとトイレスペースとに区画され、この中仕切体にはペットが出入り可能な仕切出入口が開口されるとともに、この仕切出入口を開閉する仕切扉が開閉自在に取り付けられているから、トイレの仕付けが容易なペットのトイレ仕付け用サークルに適用できる。
【図面の簡単な説明】
【００４７】
【図１】本発明に係るペットのトイレ仕付け用サークルの全体を示す斜視図である。
【図２】ペットのトイレ仕付け用サークルの各扉を開けた状態を示す斜視図である。
【図３】ペットのトイレ仕付け用サークルを分解して示す斜視図である。
【図４】住居スペースとトイレスペースとを区画する中仕切体を部分拡大して示す斜視図である。
【図５】サークル本体内に設置するトレーを示す斜視図である。
【符号の説明】
【００４８】
１ ペットのトイレ仕付け用サークル
１ａ 住居スペース
１ｂ トイレスペース
２ サークル本体
３ ペット用扉
４ 中仕切体
４a  仕切り出入口
４３  仕切扉
５ トイレ用扉
６ トレー
【図１】
0004616162.tif 000002
【図２】
0004616162.tif 000003
【図３】
0004616162.tif 000004
【図４】
0004616162.tif 000005
【図５】
0004616162.tif 000006